(57)【要約】【課題】記憶部の容量の圧迫を軽減でき、その上、製造コストの増加を防ぐことができる加熱調理器を提供する。【解決手段】加熱調理器は、ケーシングと、ケーシング内に設けられ、被加熱物を収容する加熱室と、被加熱物を加熱するためにユーザが操作するボタン群４５およびタッチパネルと、複数の画像を表示するカラー液晶パネルと、ボタン群４５およびタッチパネルが出力した信号を受けると共に、カラー液晶パネルの表示を制御する制御装置５とを備える。制御装置５は、被加熱物の加熱に関連する複数の画像のデータを記憶している記憶部５２と、この複数の画像のデータを用いて、複数の画像を互いに重ね合わせてカラー液晶パネルに表示させる画像重畳部６１と、タッチパネルからの信号に基づいて、複数の画像の透過率を変更する透過率変更部６２とを有する。【選択図】図５
2012007829.tif 000002
【特許請求の範囲】
【請求項１】
ケーシングと、
上記ケーシング内に設けられ、被加熱物を収容する加熱室と、
上記被加熱物を加熱するためにユーザが操作する操作部と、
上記被加熱物の加熱に関連する複数の画像を表示する表示部と、
上記操作部が出力した信号を受けると共に、上記表示部の表示を制御する制御装置と
を備え、
上記制御装置は、
上記複数の画像のデータを記憶している記憶部と、
上記複数の画像のデータを用いて、上記複数の画像を互いに重ね合わせて上記表示部に表示させる画像重畳部と、
上記操作部からの信号に基づいて、上記複数の画像の少なくとも１つの透過率を変更する透過率変更部と
を有することを特徴とする加熱調理器。
【請求項２】
請求項１に記載の加熱調理器において、
上記複数の画像は、
文字、絵および記号のうちの少なくとも１つを含む第１の画像と
上記文字、絵および記号のうちの少なくとも１つの背景となる無地である第２の画像と
を有し、
上記画像重畳部が上記第１の画像と上記第２の画像とを互いに重ね合わせて上記表示部に表示させることを特徴とする加熱調理器。
【請求項３】
請求項２に記載の加熱調理器において、
上記画像重畳部が上記第１の画像と上記第２の画像とを互いに重ね合わせて上記表示部に表示させるとき、上記透過率変更部は、上記操作部からの信号に基づいて、上記第１の画像の透過率が上記第２の画像の透過率よりも低くなるように、上記第１，第２の画像の透過率を変更することを特徴とする加熱調理器。
【請求項４】
請求項２または３に記載の加熱調理器において、
上記第１の画像と上記第２の画像とは互いに色相が異なることを特徴とする加熱調理器。
【請求項５】
請求項２から４までのいずれか一項に記載の加熱調理器において、
上記第１の画像は、上記文字、絵および記号のうちの少なくとも１つのみ含むことを特徴とする加熱調理器。
【発明の詳細な説明】
【技術分野】
【０００１】
本発明は加熱調理器に関する。
【背景技術】
【０００２】
従来、加熱調理器としては、特開２００２−３４９８５８号公報（特許文献１）に記載されているように、ケーシングの前面に表示部が設けられているものがある。このケーシングの前面には、ユーザが操作する複数の操作部も設けられている。
【０００３】
上記表示部は、ケーシング内の記憶部に記憶されたデータに対応する画像を表示する。この画像は、操作部の操作に応じて変更されるようになっている。
【０００４】
上記従来の加熱調理器において、例えばスタートキーの画像を表示部にさせ、その画像を操作部で選択できるようにした場合、ケーシングの前面にスタートキーを設けなくてもよくなり、製造コストを低減できるので好ましい。この場合、上記スタートキーの画像が選択されたときに、その画像の表示状態（例えば色）が変化するようにすると、画像が選択されたことを目視確認できるのでさらに好ましい。
【０００５】
しかしながら、上記画像の表示状態の数を増やすと、この表示状態の数と同数の画像のデータを記憶部に予め記憶させておく必要がある。例えば、上記表示部に、赤色の画像、黄色の画像および青色の画像を表示させるなら、これら３つ画像のデータを記憶部に予め記憶させておく必要がある。
【０００６】
したがって、上記表示部が表示する画像の表示状態の数を増やすと、記憶部の容量を圧迫してしまうという問題が生じてしまう。
【０００７】
上記問題は、記憶部の容量を増やせば、つまり、大容量の記憶部を使用すれば、解決できるかもしれないが、この解決策は製造コストの増加という新たな問題を引き起こしてしまう。
【先行技術文献】
【特許文献】
【０００８】
【特許文献１】特開２００２−３４９８５８号公報
【発明の概要】
【発明が解決しようとする課題】
【０００９】
そこで、本発明の課題は、記憶部の容量の圧迫を軽減でき、その上、製造コストの増加を防ぐことができる加熱調理器を提供することにある。
【課題を解決するための手段】
【００１０】
上記課題を解決するため、本発明の加熱調理器は、
ケーシングと、
上記ケーシング内に設けられ、被加熱物を収容する加熱室と、
上記被加熱物を加熱するためにユーザが操作する操作部と、
上記被加熱物の加熱に関連する複数の画像を表示する表示部と、
上記操作部が出力した信号を受けると共に、上記表示部の表示を制御する制御装置と
を備え、
上記制御装置は、
上記複数の画像のデータを記憶している記憶部と、
上記複数の画像のデータを用いて、上記複数の画像を互いに重ね合わせて上記表示部に表示させる画像重畳部と、
上記操作部からの信号に基づいて、上記複数の画像の少なくとも１つの透過率を変更する透過率変更部と
を有することを特徴としている。
【００１１】
上記構成によれば、上記画像重畳部は、記憶部内の複数の画像のデータを用いて、複数の画像を互いに重ね合わせて表示部に表示させる。また、上記透過率変更部は、操作部からの信号に基づいて、複数の画像の少なくとも１つの透過率を変更する。これにより、上記表示部に表示される画像の表示状態の数を、重ね合わせる画像の数よりも多くすることができる。したがって、上記記憶部に記憶させる複数の画像のデータを少なくしても、表示部に表示される画像の表示状態の数を増やすことができるので、記憶部の容量の圧迫を軽減できる。
【００１２】
また、上記記憶部の容量の圧迫を軽減できることによって、記憶部の容量を増やさなくてもよいので、製造コストの増加を防ぐことができる。
【００１３】
一実施形態の加熱調理器では、
上記複数の画像は、
文字、絵および記号のうちの少なくとも１つを含む第１の画像と
上記文字、絵および記号のうちの少なくとも１つの背景となる無地である第２の画像と
を有し、
上記画像重畳部が上記第１の画像と上記第２の画像とを互いに重ね合わせて上記表示部に表示させる。
【００１４】
上記実施形態によれば、上記画像重畳部が第１の画像と第２の画像とを互いに重ね合わせて表示部に表示させるので、表示部は、文字、絵および記号のうちの少なくとも１つと無地の背景とを含む画像を表示することができる。このとき、上記第１，第２の画像の透過率を変更することにより、記憶部に記憶させるデータ量を大きく増やすことなく、文字、絵および記号のうちの少なくとも１つと無地の背景とを含む画像の表示状態を増やすことができる。
【００１５】
また、上記第２の画像が無地であるから、第１の画像と第２の画像とを互いに重ね合わせても、第１の画像が含む文字、絵、記号の視認性に悪影響を及ぼさない。
【００１６】
一実施形態の加熱調理器では、
上記画像重畳部が上記第１の画像と上記第２の画像とを互いに重ね合わせて上記表示部に表示させるとき、上記透過率変更部は、上記操作部からの信号に基づいて、上記第１の画像の透過率が上記第２の画像の透過率よりも低くなるように、上記第１，第２の画像の透過率を変更する。
【００１７】
上記実施形態によれば、上記画像重畳部が第１の画像と第２の画像とを互いに重ね合わせて上記表示部に表示させるとき、透過率変更部は、操作部からの信号に基づいて、第１の画像の透過率が第２の画像の透過率よりも低くなるように、第１，第２の画像の透過率を変更するので、文字、絵および記号のうちの少なくとも１つの視認性の低下を防ぐことができる。
【００１８】
一実施形態の加熱調理器では、
上記第１の画像と上記第２の画像とは互いに色相が異なる。
【００１９】
上記実施形態によれば、上記第１の画像と第２の画像とは互いに色相が異なるので、被加熱物の加熱をイメージさせる色を第２の画像に与えることができる。
【００２０】
一実施形態の加熱調理器では、
上記第１の画像は、上記文字、絵および記号のうちの少なくとも１つのみ含む。
【００２１】
上記実施形態によれば、上記第１の画像は、文字、絵および記号のうちの少なくとも１つのみ含むので、第２の画像の透過率を変えるだけで、文字、絵および記号のうちの少なくとも１つの視認性に悪影響を及ぼさずに、文字、絵および記号のうちの少なくとも１つと無地の背景とを含む画像の表示状態を変えることができる。
【００２２】
一実施形態の加熱調理器では、
上記表示部はカラー表示可能である。
【００２３】
上記実施形態によれば、上記表示部はカラー表示可能であるので、表示部で表示可能な画像の表示状態の数を増やすことができる。
【００２４】
一実施形態の加熱調理器では、
上記操作部の少なくとも一部は上記表示部を覆うタッチパネルである。
【００２５】
上記実施形態によれば、上記操作部の少なくとも一部は表示部を覆うタッチパネルであることによって、ケーシングに設ける例えばキーの数を減らすことができるので、製造コストを低減できる。
【発明の効果】
【００２６】
本発明の加熱調理器によれば、制御装置は、複数の画像のデータを記憶している記憶部と、複数の画像のデータを用いて、複数の画像を互いに重ね合わせて表示部に表示させる画像重畳部と、操作部からの信号に基づいて、複数の画像の少なくとも１つの透過率を変更する透過率変更部とを有することによって、透過率変更部が、操作部からの信号に基づいて、複数の画像の少なくとも１つの透過率を変更するので、表示部に表示される画像の表示状態の数を、重ね合わせる画像の数よりも多くすることができる。したがって、上記記憶部に記憶させる複数の画像のデータを少なくしても、表示部に表示される画像の表示状態の数を増やすことができる結果、記憶部の容量の圧迫を軽減できる。
【００２７】
また、上記記憶部の容量の圧迫を軽減できることによって、記憶部の容量を増やさなくてもよいので、製造コストの増加を防ぐことができる。
【図面の簡単な説明】
【００２８】
【図１】図１は本発明の一実施の形態の加熱調理器の外観斜視図である。
【図２】図２は上記加熱調理器の概略構成図である。
【図３】図３は上記加熱調理器の操作パネルの概略正面図である。
【図４】図４は図３のＦ４−Ｆ４線矢視の模式断面図である。
【図５】図５は上記加熱調理器の制御ブロック図である。
【図６】図６は上記加熱調理器のカラー液晶パネルの一画面を示す図である。
【図７】図７は上記カラー液晶パネルの他の画面を示す図である。
【図８】図８は上記カラー液晶パネルの他の小画像の構成を説明するための模式図である。
【図９】図９は上記カラー液晶パネルの他の画面を示す図である。
【図１０】図１０は上記カラー液晶パネルの他の画面を示す図である。
【図１１】図１１は上記カラー液晶パネルの他の小画像の構成を説明するための模式図である。
【図１２】図１２は上記カラー液晶パネルの他の画面を示す図である。
【図１３】図１３は上記カラー液晶パネルの他の小画像の構成を説明するための模式図である。
【図１４】図１４は上記カラー液晶パネルの他の小画像の構成を説明するための模式図である。
【図１５】図１５は上記カラー液晶パネルの他の小画像の構成を説明するための模式図である。
【図１６】図１６は上記加熱調理器の変形例を説明するための模式図である。
【図１７】図１７は上記加熱調理器の他の変形例を説明するための模式図である。
【発明を実施するための形態】
【００２９】
以下、本発明の加熱調理器を図示の実施の形態により詳細に説明する。
【００３０】
図１は本発明の一実施形態の加熱調理器の外観斜視図である。
【００３１】
上記加熱調理器では、直方体形状のケーシング１の正面に、下端側の辺を略中心に回動する扉３４が取り付けられている。この扉３４の右側には操作パネル３５を設けている。また、扉３４の上部にはハンドル３７を取り付けると共に、扉３４の略中央には耐熱ガラス３８を取り付けている。
【００３２】
上記操作パネル３５は、カラー液晶表示部３６と、被加熱物１０（図２参照）を加熱するためにユーザが操作するボタン群４５とを有している。
【００３３】
図２は上記加熱調理器の概略構成図である。
【００３４】
上記加熱調理器は、ケーシング１と、ケーシング１内に設けられた加熱室２と、水蒸気を発生させる水蒸気発生装置３と、水蒸気発生装置３からの水蒸気を加熱して過熱水蒸気にする水蒸気加熱ヒータ４と、水蒸気発生装置３や水蒸気加熱ヒータ４等の動作を制御する制御装置５とを備えている。ここで、上記過熱水蒸気とは、１００℃を越える過熱状態にまで加熱された水蒸気を意味する。
【００３５】
上記被加熱物１０は、水蒸気加熱ヒータ４で生成された過熱水蒸気で加熱したり、水蒸気加熱ヒータ４の輻射熱で加熱したり、マグネトロン５３で発生したマイクロ波で加熱したりする。
【００３６】
また、図２において、６はセラミックス製のトレイ、７は鉄等の金属製の調理網、８は循環経路、９はつゆ受け、１０は被加熱物、１１は下受け棚、１２は中受け棚、１３は上受け棚、１４は排水経路、１５は循環吸気口、１６は第１噴出口、１７は第２噴出口、１８は第３噴出口、１９は循環ファン、２０は蒸気放出経路、２１は第１排気口、２２は第２排気口、２３は排気経路、２４はエジェクタ、２５は排気ダンパ、２６は排気チューブ、２７は希釈空気経路、２８は吸込ダクト、２９はファンケーシング、３０は排気希釈ファン、３１は給気経路、３２は給気口、３３は給気ダンパ、３９は水蒸気発生装置３が有する水蒸気発生部、４０は水蒸気発生装置３が有する給水タンク、４１は水蒸気発生装置３が有する水加熱ヒータ、４２は排水弁、４９は電磁弁である。なお、トレイ６、調理網７、つゆ受け９および給水タンク４０は付属品の一例である。
【００３７】
図３は、図１の操作パネル３５の拡大した概略図である。
【００３８】
上記ボタン群４５は、戻りキー９１、取り消しキー９２、手動キー９３およびあたためスタートキー９４で構成されている。戻りキー９１は、後述するカラー液晶パネル９５の画面表示を直前の画面表示に戻すときに押す。また、取り消しキー９２は、途中で加熱をやめるときや、操作を取り消すときに押す。そして、手動キー９３は、高周波出力および加熱出力を手動で設定するときに押す。また、あたためスタートキー９４は、加熱を開始するときに押す。なお、戻りキー９１、取り消しキー９２、手動キー９３およびあたためスタートキー９４は操作部の一例である。
【００３９】
図４は、図３のＦ４−Ｆ４線から見た模式断面図である。
【００４０】
上記カラー液晶表示部３６は、カラー液晶パネル９５上にタッチパネル９６を重ねて構成される。このカラー液晶パネル９５は、文字、数字、写真等をカラー表示できるものであり、加熱の種類、料理名、加熱時間、温度、料理の写真等を表示する。また、タッチパネル９６は、ユーザがタッチすると表面電荷を変化させる透明素材からなる静電容量方式のタッチパネルである。これにより、ユーザはタッチパネル９６をタッチして、カラー液晶パネル９５に表示される画像を選択できるようになっている。また、ユーザがタッチパネル９６をタッチして、カラー液晶パネル９５に表示される選択可能な画像を選択すると、その画像の色が変わるようになっている。つまり、カラー液晶パネル９５に表示される画像は、選択状態の色が非選択状態の色と異なるようになっている。なお、タッチパネル９６は、例えば、抵抗膜方式、表面弾性波方式、赤外線方式または電磁誘導方式のタッチパネルに換えてもよい。また、カラー液晶パネル９５は表示部の一例であり、タッチパネル９６は操作部の一例である。
【００４１】
図５は上記加熱調理器の制御ブロック図である。
【００４２】
上記制御装置５は、ＣＰＵ（中央処理装置）５０、タイマ５１、記憶部５２、画像重畳部６１、透過率変更部６２、入出力回路等を含んで、カラー液晶表示部３６のカラー液晶パネル９５の表示を制御する。また、上記制御装置５には、水加熱ヒータ４１と、水蒸気加熱ヒータ４と、給気ダンパ３３と、排気ダンパ２５と、電磁弁４９と、循環ファン１９と、排気希釈ファン３０と、カラー液晶表示部３６と、ボタン群４５と、マグネトロン５３とが接続されている。そして、上記制御装置５は、ボタン群４５およびタッチパネル９６が出力した信号を受ける。
【００４３】
上記ＣＰＵ５０は、記憶部５２に記憶されている制御プログラムを取り出して実行したり、各種入力機器から入力されるデータに対し、二進加算、論理演算、増減、比較等の演算を行ったりする。
【００４４】
上記タイマ５１は、月日、被加熱物１０の加熱が開始してから経過した時間、被加熱物１０の加熱が終了してから経過した時間等を計時する。
【００４５】
上記記憶部５２は、水加熱ヒータ４１、水蒸気加熱ヒータ４、給気ダンパ３３、排気ダンパ２５、電磁弁４９、循環ファン１９、排気希釈ファン３０、カラー液晶表示部３６等を制御するための制御プログラムを記憶している。また、記憶部５２には、３００種類以上（例えば３８１種類）の料理、および、各料理に関連付けられた画像情報を予め記憶させている。例えば、記憶部５２には、後述する大画像Ｇ１０１，Ｇ１０２，Ｇ１１１〜Ｇ１１４，Ｇ１２１〜Ｇ１２６のデータ等を予め記憶させている。また、記憶部５２には、ユーザが例えばお気に入りの料理を記憶させることもできる。なお、大画像Ｇ１１４，Ｇ１２２，Ｇ１２４，Ｇ１２６は第１の画像の一例である。
【００４６】
上記画像重畳部６１は、記憶部５２内の大画像Ｇ１０１，Ｇ１０２，Ｇ１１１〜Ｇ１１４，Ｇ１２１〜Ｇ１２６のデータを用いて、大画像Ｇ１０１，Ｇ１０２，Ｇ１１１〜Ｇ１１４，Ｇ１２１〜Ｇ１２６を重ね合わせてカラー液晶パネル９５に表示させる。
【００４７】
上記透過率変更部６２は、タッチパネル９６からの信号に基づいて、大画像Ｇ１０２，Ｇ１１１〜Ｇ１１４，Ｇ１２１〜Ｇ１２６の透過率を変更する。
【００４８】
図６は上記カラー液晶パネル９５の初期画面を示す図である。この初期画面は、加熱調理器の電源プラグ（図示せず）をコンセントに差し込んだ後、カラー液晶パネル９５が最初に表示する画面である。
【００４９】
上記カラー液晶パネル９５の初期画面には小画像Ｇ１〜Ｇ８が選択可能に表示される。小画像Ｇ１は牛乳や酒を適温に温めるときに選択すべき画像であり、コップおよび徳利の絵と、「牛乳」および「酒のかん」の文字を含んでいる。小画像Ｇ２は、冷えた料理等を温めるときに選択すべき画像であり、茶碗およびエビフライの絵と、「あたためる」の文字とを含んでいる。小画像Ｇ３は、蒸し物や煮物を作るときに選択すべき画像であり、鍋および蒸籠の絵と、「蒸す・煮る」の文字とを含んでいる。小画像Ｇ４は、料理集内の３００種類以上の料理から希望の料理を探すときに選択すべき画像であり、本の絵と、「お料理集から選ぶ」の文字とを含んでいる。小画像Ｇ５は、冷凍食材等を解凍するときに選択すべき画像であり、魚および雪の結晶の絵と、「解凍する」の文字とを含んでいる。小画像Ｇ６は、焼き物およびフライ物を作るときに選択すべき画像であり、ローストチキンおよびパンの絵と、「焼く・フライ」の文字とを含んでいる。小画像Ｇ７は、健康サポートメニューを使いたいときに選択すべき画像であり、元気な人をイメージさせる絵と、「健康サポートメニュー」の文字とを含んでいる。小画像Ｇ８は、よく作る料理を登録するときに選択すべき画像であり、押しピンの絵と、「よく作るメニュー」の文字とを含んでいる。
【００５０】
上記小画像Ｇ１〜Ｇ８は、それぞれ、選択されていない状態で、文字や絵の色が黒色であり、文字や絵以外の部分（背景部分）の色が黄色になっている。この状態において、ユーザが、タッチパネル９６の一部にタッチすると、その一部に重なる小画像（小画像Ｇ１〜Ｇ８のうちのいずれか１つ）が選択されて、カラー液晶パネル９５の画面は初期画面から他の画面に切り換わる。ここで、ユーザがタッチパネル９６の一部にタッチした時、その一部に重なる小画像の色が変化するようになっている。具体的には、小画像Ｇ１〜Ｇ８のうち、ユーザの指に重なる画像のみにおいて、文字や絵の色が黄色がかった黒色になると共に、文字や絵以外の部分（背景部分）の色が黄土色に近い黄色になる。この状態は、ユーザの指がタッチパネル９６の一部に接触している間保持される。そして、タッチパネル９６の一部からユーザの指が離れると、自動的に、カラー液晶パネル９５が上記他の画面を表示するようになっている。例えば、ユーザが、小画像Ｇ２に重なるタッチパネル９６の一部にタッチすると、小画像Ｇ２は、図７に示すように、小画像Ｇ２’に変化する。
【００５１】
図８は上記小画像Ｇ２，Ｇ２’の構成を説明するための模式図である。
【００５２】
上記画像重畳部６１は、小画像Ｇ９を含む大画像Ｇ１０１の上に、小画像Ｇ２を含む大画像Ｇ１０２を重ね合わせてカラー液晶パネル９５に表示させる。この大画像Ｇ１０１，Ｇ１０２の透過率は変更可能である。
【００５３】
上記小画像Ｇ９は、文字や絵などを含まない茶色の無地の小画像で、小画像Ｇ２の下に重ねられる。
【００５４】
上記透過率変更部６２は、タッチパネル９６からの信号に基づいて、大画像Ｇ１０１，Ｇ１０２の透過率を変更する。例えば、透過率変更部６２は、小画像Ｇ２が非選択状態である時（非タッチ時）、大画像Ｇ１０１の透過率を１００％にし、大画像Ｇ１０２の透過率を０％にする。一方、透過率変更部６２は、小画像Ｇ２が選択状態である時（タッチ時）、大画像Ｇ１０１の透過率を４０％にし、大画像Ｇ１０２の透過率を６０％にする。
【００５５】
上記大画像Ｇ１０１と大画像Ｇ１０２を重ね合わせるにあたって、画像重畳部６１は例えばアルファブレンディング手法を用いてもよい。このアルファブレンディング手法を用いる場合、大画像Ｇ１０１の座標の（Ｘ、Ｙ）のＲＧＢ値を（ｒ１、ｇ１、ｂ１）と、大画像Ｇ１０２の座標（Ｘ、Ｙ）のＲＧＢ値を（ｒ２、ｇ２、ｂ２）とすると、大画像Ｇ１０１と大画像Ｇ１０２の重ね合わせ後のＲＧＢ値（ｒ、ｇ、ｂ）は、次の式（１）〜（３）で計算される。
【００５６】
ｒ＝ｒ１×（１−α）＋ｒ２×α  ・・・・・・（１）
ｇ＝ｇ１×（１−α）＋ｇ２×α  ・・・・・・（２）
ｂ＝ｂ１×（１−α）＋ｂ２×α  ・・・・・・（３）
上記α（０≦α≦１）は、大画像Ｇ１０２の透過の程度を示す値であり、αを１にすると、大画像Ｇ１０２が完全に不透過になり、αを０にすると、大画像Ｇ１０２が完全に透明になる。そして、図６の小画像Ｇ２はαを１にしたときに得られる一方、図７の小画像Ｇ２’はαを０．４にしたときに得られる。
【００５７】
なお、図６の小画像Ｇ１，Ｇ３〜Ｇ８の構成の説明は、小画像Ｇ２の構成と同様であるので省略する。
【００５８】
図９は上記カラー液晶パネル９５の一画面を示す図である。
【００５９】
上記カラー液晶パネル９５の一画面には、小画像Ｇ１１，Ｇ１２が選択可能に表示されると共に、小画像Ｇ１１，Ｇ１２の周囲に中画像Ｇ１３が表示される。
【００６０】
上記小画像Ｇ１１は、冷蔵室内に保存されていた食材を温めるときに選択すべき画像であり、「常温冷蔵」の文字を含んでいる。また、小画像Ｇ１２は、冷凍室内に保存されていた食材を温めるときに選択すべき画像であり、「冷凍」の文字を含んでいる。
【００６１】
また、上記小画像Ｇ１１，Ｇ１２は、選択されていない状態で、文字野色が黒色、文字や絵以外の部分（背景部分）の色が薄い灰色になっている。そして、中画像Ｇ１３は、小画像Ｇ１１，Ｇ１２の下に重ねられ、文字や絵などを含まない小画像である。また、中画像Ｇ１３の色は、小画像Ｇ１１，Ｇ１２の背景部分の色よりも濃い灰色である。ここで、ユーザが、例えば小画像Ｇ１１に重なるタッチパネル９６の一部にタッチすると、小画像Ｇ１１が、図１０に示すように、小画像Ｇ１１’に変化する。この小画像Ｇ１１’は、文字の色が黒色で、文字以外の部分（背景部分）の色が薄い橙色である。
【００６２】
図１１は上記小画像Ｇ１１，Ｇ１１’の構成を説明するための模式図である。
【００６３】
上記画像重畳部６１は、中画像Ｇ１３を含む大画像Ｇ１１１の上に、小画像Ｇ１４，Ｇ１５を含む大画像Ｇ１１２と、小画像Ｇ１６を含む大画像Ｇ１１３と、「常温冷蔵」および「冷凍」の文字だけを含む大画像Ｇ１１４とをこの順で重ね合わせてカラー液晶パネル９５に表示させる。なお、小画像Ｇ１４，Ｇ１５は第２の画像の一例である。
【００６４】
上記小画像Ｇ１４，Ｇ１５は、文字や絵などを含まない無地の背景小画像で、中画像Ｇ１３の上に重ねられる。また、小画像Ｇ１４，Ｇ１５の色は、小画像Ｇ１１，Ｇ１２の背景部分の色と同じ薄い灰色である。
【００６５】
上記小画像Ｇ１６は、文字や絵などを含まない橙色の無地の小画像で、小画像Ｇ１４の上に重ねられる。また、小画像Ｇ１６の上には、大画像Ｇ１１４の「常温冷蔵」が重なるようになっている。
【００６６】
上記透過率変更部６２は、タッチパネル９６からの信号に基づいて、大画像Ｇ１１１〜Ｇ１１４の透過率を変更する。例えば、透過率変更部６２が、大画像Ｇ１１３の透過率だけを１００％にすると共に、他の大画像Ｇ１１１，Ｇ１１２，Ｇ１１４の透過率を０％にすることにより、図９の小画像Ｇ１１が得られる。また、透過率変更部６２が、大画像Ｇ１１３の透過率だけを５０％にすると共に、他の大画像Ｇ１１１，Ｇ１１２，Ｇ１１４の透過率を０％にすることにより、図１０の小画像Ｇ１１’が得られる。
【００６７】
なお、上記大画像Ｇ１１２と大画像Ｇ１１３の間、または、大画像Ｇ１１３と大画像Ｇ１１４の間には、図示しない大画像が配置される。この大画像は、小画像Ｇ１５の上に重ねられる小画像を含む。そして、上記小画像は、小画像Ｇ１６と同様に、文字や絵などを含まない橙色になっている。また、上記小画像の上には、大画像Ｇ１１４の「冷凍」が重なるようになっている。
【００６８】
図１２は上記カラー液晶パネル９５の一画面を示す図である。
【００６９】
上記カラー液晶パネル９５の一画面には、メニュー番号を示す「００１」と、料理のカテゴリを示す「焼く」と、調理効果を示す「カロリーダウン」と、料理のおおよそのカロリー数を示す「約２５７kcal」と、料理名を示す「鶏の照り焼き」と、「鶏の照り焼き」の写真画像とが表示される。また、上記カラー液晶パネル９５の一画面には、小画像Ｇ３１が選択不可能に表示されると共に、小画像Ｇ３２，Ｇ３３が選択可能に表示される。
【００７０】
上記小画像Ｇ３１は、「＜」の記号と「前へ」の文字とを含み、この記号および文字およびその他の部分（背景部分）の色が非常に薄い灰色になっている。つまり、小画像Ｇ３１の全体が非常に薄い灰色になっている。
【００７１】
上記小画像Ｇ３２は、黒色の「決定」の文字を含み、この文字以外の部分（背景部分）の色が薄い灰色になっている。この小画像Ｇ３２の背景部分の灰色は、小画像Ｇ３１の灰色よりも濃い灰色である。
【００７２】
上記小画像Ｇ３３は、黒色の「＞」の記号と黒色の「次へ」の文字とを含み、この記号および文字以外の部分（背景部分）の色が薄い灰色になっている。この小画像Ｇ３３の背景部分の灰色は、小画像Ｇ３１の灰色よりも濃い灰色である。
【００７３】
このような図１２の一画面において、ユーザが小画像Ｇ３３を選択すると、メニュー番号「００２」およびこれに関連付けされた料理のカテゴリ等がカラー液晶パネル９５に表示される。この小画像Ｇ３３の選択により、小画像Ｇ３１は、小画像Ｇ３２，Ｇ３３と同様の小画像に変化する。つまり、上記小画像はカラー液晶パネル９５に選択可能に表示される。このとき、カラー液晶パネル９５には小画像Ｇ３２，Ｇ３３も選択可能に表示される。
【００７４】
図示しないが、上記小画像は、黒色の「＜」の記号と黒色の「前へ」の文字とを含み、この記号および文字以外の部分（背景部分）の色が薄い灰色である。
【００７５】
また、上記カラー液晶パネル９５がメニュー番号「００２」等を表示している時、ユーザが上記小画像を選択すれば、図１２の一画面に戻り、また、ユーザが小画像Ｇ３３を選択すれば、メニュー番号が「００３」およびこれに関連付けされた料理のカテゴリ等がカラー液晶パネル９５に表示される。
【００７６】
また、ユーザが小画像Ｇ３２を選択すると、加熱がスタートする直前の工程に移り、カラー液晶パネル９５の画面が他の画面に切り換わる。
【００７７】
図１３は上記小画像Ｇ３１の構成を説明するための模式図である。
【００７８】
上記画像重畳部６１は、小画像Ｇ３４を含む大画像Ｇ１２１の上に、黒色の「＜」の記号と黒色の「前へ」の文字とだけを含む大画像Ｇ１２２を重ね合わせて、カラー液晶パネル９５に小画像Ｇ３１を表示させる。なお、小画像Ｇ３４は第２の画像の一例である。
【００７９】
上記大画像Ｇ１２１の小画像Ｇ３４は、文字や絵等を含まない薄い灰色の無地の背景小画像である。また、小画像Ｇ３４の上には、大画像Ｇ１２２の「＜」および「前へ」が重なるようになっている。
【００８０】
上記透過率変更部６２は、タッチパネル９６からの信号に基づいて、大画像Ｇ１２１，Ｇ１２２の透過率を変更する。例えば、透過率変更部６２が、大画像Ｇ１２１の透過率を６０％にする一方、大画像Ｇ１２２の透過率を８０％にすることにより、図１２の小画像Ｇ３１が得られる。
【００８１】
図１４は上記小画像Ｇ３２の構成を説明するための模式図である。
【００８２】
上記画像重畳部６１は、小画像Ｇ３５を含む大画像Ｇ１２３の上に、黒色の「決定」の文字だけを含む大画像Ｇ１２４を重ね合わせて、カラー液晶パネル９５に小画像Ｇ３２を表示させる。なお、小画像Ｇ３５は第２の画像の一例である。
【００８３】
上記大画像Ｇ１２３の小画像Ｇ３５は、文字や絵等を含まない薄い灰色の無地の背景小画像である。また、小画像Ｇ３５の上には、大画像Ｇ１２４の「決定」が重なるようになっている。
【００８４】
上記透過率変更部６２は、タッチパネル９６からの信号に基づいて、大画像Ｇ１２３，Ｇ１２４の透過率を変更する。例えば、透過率変更部６２が、大画像Ｇ１２３の透過率を３０％にする一方、大画像Ｇ１２４の透過率を０％にすることにより、図１２の小画像Ｇ３２が得られる。
【００８５】
図１５は上記小画像Ｇ３３の構成を説明するための模式図である。
【００８６】
上記画像重畳部６１は、小画像Ｇ３６を含む大画像Ｇ１２５の上に、「＞」の記号と黒色の「次へ」の文字とだけを含む大画像Ｇ１２６を重ね合わせて、カラー液晶パネル９５に小画像Ｇ３３を表示させる。なお、小画像ＧＧ３６は第２の画像の一例である。
【００８７】
上記大画像Ｇ１２３の小画像Ｇ３６は、文字や絵等を含まない薄い灰色の無地の背景小画像である。また、小画像Ｇ３６の上には、大画像Ｇ１２６の「＞」および「次へ」が重なるようになっている。
【００８８】
上記透過率変更部６２は、タッチパネル９６からの信号に基づいて、大画像Ｇ１２５，Ｇ１２６の透過率を変更する。例えば、透過率変更部６２が、大画像Ｇ１２５の透過率を３０％にする一方、大画像Ｇ１２６の透過率を０％にすることにより、図１２の小画像Ｇ３３が得られる。
【００８９】
上記構成の加熱調理器によれば、画像重畳部６１は、小画像Ｇ９を含む大画像Ｇ１０１の上に、小画像Ｇ２を含む大画像Ｇ１０２を重ね合わせてカラー液晶パネル９５に表示させる。このとき、透過率変更部６２が大画像Ｇ１０２の透過率を変更することにより、カラー液晶パネル９５は、小画像Ｇ２，Ｇ２’を表示できると共に、小画像Ｇ２，Ｇ２’とは表示状態が異なる複数の小画像も表示できる。
【００９０】
このように、上記大画像Ｇ１０１，Ｇ１０２の２つのデータを記憶部５２に予め記憶させておけば、３以上の表示状態の小画像をカラー液晶パネル９５に表示させることができるので、記憶部５２に記憶させる画像のデータを少なくして、記憶部５２の容量の圧迫を軽減できる。
【００９１】
また、上記記憶部５２の容量の圧迫を軽減できることによって、記憶部５２の容量を増やさなくてもよいので、製造コストの増加を防ぐことができる。
【００９２】
上述の記憶部５２の容量の圧迫を軽減できる効果や、製造コストの増加を防ぐことができる効果は、小画像Ｇ１，Ｇ３〜８，Ｇ１１，Ｇ１２，Ｇ３１〜Ｇ３３においても同様に奏する。
【００９３】
また、図９の画面において、ユーザが小画像Ｇ１１を選択するのに応じて、透過率変更部６２が、大画像Ｇ１１４の透過率を０に保持したまま、大画像Ｇ１１３の透過率を変更するので、「常温冷蔵」および「冷凍」の文字の視認性を良好に維持しつつ、小画像Ｇ１１の表示状態を変えることができる。
【００９４】
また、図１２の一画面では、小画像Ｇ３１の全体を非常に薄い灰色にしているので、ユーザは小画像Ｇ３１が選択不可能であることを直感的に判断できる。したがって、上記加熱調理器の操作についてユーザが迷うのを防ぐことができる。
【００９５】
また、上記カラー液晶パネル９５はカラー表示可能であるので、カラー液晶パネル９５で表示可能な画像の表示状態の数を増やすことができる。
【００９６】
また、上記タッチパネル９６を用いているので、操作パネル３５に設ける例えばキーの数を減らすことができるので、製造コストを低減できる。
【００９７】
上記実施形態において、大画像Ｇ１０１，Ｇ１０２，Ｇ１１１〜Ｇ１１４，Ｇ１２１〜Ｇ１２６は、互い同じサイズであったが、互いに異なるサイズにしてもよい。
【００９８】
上記実施形態では、透過率変更部６２が、大画像Ｇ１０１，Ｇ１０２の透過率の全てを変更できるようにしていたが、大画像Ｇ１０１，Ｇ１０２の透過率の一方だけを変更できるようにしてもよい。
【００９９】
上記実施形態では、透過率変更部６２が、大画像Ｇ１１１〜Ｇ１１４の透過率の全てを変更できるようにしていたが、大画像Ｇ１１１〜Ｇ１１４の透過率の１つ、２つまたは３つだけを変更できるようにしてもよい。
【０１００】
上記実施形態では、透過率変更部６２が、大画像Ｇ１２１，Ｇ１２２の透過率の全てを変更できるようにしていたが、大画像Ｇ１２１，Ｇ１２２の透過率の一方だけを変更できるようにしてもよい。
【０１０１】
上記実施形態では、透過率変更部６２が、大画像Ｇ１２３，Ｇ１２４の透過率の全てを変更できるようにしていたが、大画像Ｇ１２３，Ｇ１２４の透過率の一方だけを変更できるようにしてもよい。
【０１０２】
上記実施形態では、透過率変更部６２が、大画像Ｇ１２５，Ｇ１２６の透過率の全てを変更できるようにしていたが、大画像Ｇ１２５，Ｇ１２６の透過率の一方だけを変更できるようにしてもよい。
【０１０３】
上記実施形態では、図８に示すように、大画像Ｇ１０１の上に大画像Ｇ１０２を重ね合わせ、大画像Ｇ１０１，Ｇ１０２の少なくとも一方の透過率を変更することにより、小画像Ｇ２，Ｇ２’を得ていたが、図１６に示すように、大画像Ｇ１０１の上に、小画像Ｇ１０を含む大画像Ｇ１０３と、黒色のエビフライの絵と黒色の「あたためる」の文字とだけを含む大画像Ｇ１０４とをこの順で重ね合わせ、大画像Ｇ１０１，Ｇ１０３，Ｇ１０４の少なくとも１つの透過率を変更することにより、小画像Ｇ２，Ｇ２’を得るようにしてもよい。
【０１０４】
上記小画像Ｇ１０は、文字や絵などを含まない黄色の背景小画像で、エビフライの絵との「あたためる」の文字との下に重ねられる。
【０１０５】
なお、上記大画像Ｇ１０１，Ｇ１０３，Ｇ１０４の重ね合わせは画像重畳部６１で行い、大画像Ｇ１０１，Ｇ１０３，Ｇ１０４の透過率の変更は透過率変更部６２で行う。
【０１０６】
上記実施形態では、図１１に示すように、大画像Ｇ１１１の上に、大画像Ｇ１１２，Ｇ１１３，Ｇ１１４をこの順で重ね合わせ、大画像Ｇ１１２，Ｇ１１３，Ｇ１１４の透過率を変更することにより、小画像Ｇ１１，Ｇ１１’を得ていたが、図１７に示すように、大画像Ｇ１１１の上に、小画像Ｇ１７を含む大画像Ｇ１１５と、大画像Ｇ１１３と、大画像Ｇ１１４とをこの順で重ね合わせ、大画像Ｇ１１１〜Ｇ１１５の少なくとも１つの透過率を変更することにより、小画像Ｇ１１，Ｇ１１’を得るようにしてもよい。
【０１０７】
上記小画像Ｇ１７は、文字や絵などを含まない例えば青色の無地の小画像で、小画像Ｇ１４の下に重ねられる。
【０１０８】
なお、上記大画像Ｇ１１１〜Ｇ１１５の重ね合わせは画像重畳部６１で行い、また、大画像Ｇ１１１〜Ｇ１１５の透過率の変更は透過率変更部６２で行う。
【０１０９】
上記実施形態では、小画像Ｇ１４は、文字や絵などを含まない薄い灰色の無地の背景小画像とすると共に、小画像Ｇ１６は、文字や絵などを含まない橙色の無地の小画像としていたが、小画像Ｇ１４は、文字や絵などを含まない橙色の無地の背景小画像とすると共に、小画像Ｇ１６は、文字や絵などを含まない薄い灰色の無地の小画像としてもよい。つまり、小画像Ｇ１４の色と小画像Ｇ１６とを互いに入れ換えてもよい。このようにすると、小画像Ｇ１１の非選択状態の色が橙色になるので、小画像Ｇ１１の文字が「常温冷蔵」という冷やすことをイメージさせるものであっても、小画像Ｇ１１の選択で加熱を行うことができるイメージをユーザに持たせることができる。
【０１１０】
上記実施形態では、カラー液晶パネル９５を操作パネル３５に設けていたが、例えば、カラーＥＬ（エレクトロルミネッセンス）表示部または白黒表示部を操作パネル３５に設けてもよい。
【０１１１】
上記実施形態では、タッチパネル９６を操作部の一例として用いていたが、タッチパネル９６を用いないようにしてもよい。この場合、操作パネル３５に回転ダイヤルまたは十字キーを設け、回転ダイヤルまたは十字キーで画像Ｇ１，Ｇ２，…等の選択を行うようにしてもよい。
【０１１２】
上記実施形態では、操作パネル３５にボタン群４５を設けていたが、操作パネル３５にボタン群４５を設けないようにして、ユーザの選択がタッチパネル９６だけで行うようにしてもよい。
【０１１３】
また、上記実施形態では、加熱調理器に、過熱水蒸気および水蒸気を生成する機能を持たせていたが、加熱調理器に、水蒸気を生成する機能のみを持たせてもよい。
【０１１４】
本発明は、例えば、過熱水蒸気を使用するオーブンレンジのみならず、過熱水蒸気を使用するオーブン、レンジまたはＩＨクッキングヒータ等の加熱調理器にも適用できるし、過熱水蒸気を使用しないオーブン、レンジ、オーブンレンジまたはＩＨクッキングヒータ等の加熱調理器にも適用できる。
【符号の説明】
【０１１５】
１  ケーシング
２  加熱室
５  制御装置
６  トレイ
７  調理網
９  つゆ受け
３５  操作パネル
３６  カラー液晶表示部
４０  給水タンク
６１  画像重畳部
６２  透過率変更部
９１  戻りキー
９２  取り消しキー
９３  手動キー
９４  あたためスタートキー
９５  カラー液晶パネル
９６  タッチパネル
Ｇ１〜Ｇ１２，Ｇ１４Ｇ１７，Ｇ３１〜Ｇ３６，Ｇ２’，Ｇ１１’  小画像
Ｇ１４  中画像
Ｇ１０１，Ｇ１０２，Ｇ１１１〜Ｇ１１５，Ｇ１２１〜Ｇ１２６  大画像
【図１】
2012007829.tif 000003
【図２】
2012007829.tif 000004
【図３】
2012007829.tif 000005
【図４】
2012007829.tif 000006
【図５】
2012007829.tif 000007
【図６】
2012007829.tif 000008
【図７】
2012007829.tif 000009
【図８】
2012007829.tif 000010
【図９】
2012007829.tif 000011
【図１０】
2012007829.tif 000012
【図１１】
2012007829.tif 000013
【図１２】
2012007829.tif 000014
【図１３】
2012007829.tif 000015
【図１４】
2012007829.tif 000016
【図１５】
2012007829.tif 000017
【図１６】
2012007829.tif 000018
【図１７】
2012007829.tif 000019